(57)【要約】【課題】  放射ノイズを安定させることが可能な画像読取装置およびこれを備えた画像形成装置を提供する。【解決手段】  原稿からの反射光を結像するレンズユニット１０４と、レンズユニット１０４の結像した画像を読み取るＣＣＤ１０１と、レンズユニット１０４およびＣＣＤ１０１を保持するベースフレーム１０５と、装置全体を制御する画像読取装置制御基板と、ＣＣＤ１０１と画像読取装置制御基板との間を接続するフラットケーブル１０３と、フラットケーブル１０３を規制する規制部材１１０を備えたことを特徴とする画像読取装置。【選択図】        図１
2007019603.tif 000002
【特許請求の範囲】
【請求項１】
原稿からの反射光を結像する結像手段と、
前記結像手段の結像した画像を読み取る画像読取手段と、
前記結像手段および前記画像読取手段を保持する支持部材と、
装置全体を制御する制御手段と、
前記画像読取手段と前記制御手段との間を接続する伝送手段と、
前記伝送手段を規制する規制手段を備えたことを特徴とする画像読取装置。
【請求項２】
請求項１に記載の画像読取装置において、前記規制手段が導電性部材からなり、前記伝送手段を前記支持部材に沿って規制することを特徴とする画像読取装置。
【請求項３】
請求項１または２に記載の画像読取装置において、前記規制手段が、前記支持部材および画像読取装置の筐体に固定されることを特徴とする画像読取装置。
【請求項４】
請求項１または２に記載の画像読取装置において、前記規制手段が、前記支持部材に固定され、画像読取装置の筐体に接触しないことを特徴とする画像読取装置。
【請求項５】
請求項１または２に記載の画像読取装置において、前記規制手段が、前記支持部材に固定され、また画像読取装置の筐体に接触することを特徴とする画像読取装置。
【請求項６】
請求項１ないし５のいずれか一項に記載の画像読取装置において、前記伝送手段がフラットケーブルであり、前記規制部材に粘着テープで固定され、前記支持部材の画像読取装置の筐体側の面から前記画像読取手段に至るまで規制されることを特徴とする画像読取装置。
【請求項７】
請求項１ないし６のいずれか一項に記載の画像読取装置と、
記録媒体に画像を形成する画像形成手段とを備えたことを特徴とする画像形成装置。
【発明の詳細な説明】
【技術分野】
【０００１】
本発明は、複写機、ファクシミリ、スキャナ等の画像形成装置に使用される画像読取装置およびこれを備えた画像形成装置に関するものである。
【背景技術】
【０００２】
従来、複写機、ファクシミリ、スキャナ等の画像形成装置に使用される画像読取装置は、一般に以下の構成をとる。すなわち、露光ランプや折り返しミラーからなる走査光学系にて原稿面を走査した際に得られる反射光を、複数枚のレンズを鏡筒にて保持した構成のレンズユニットを介してＣＣＤ等の光電変換素子上に結像させ、電気信号に変換するようになっている。
【０００３】
この種の画像読取装置においては、従来から画像読取部のＣＣＤ周辺に放射ノイズが出易いことが知られていた。これは、ＣＣＤを実装した基板が、原稿反射光を効率良い位置で受光できるように調整可能に搭載されていることが原因の一つと考えられる。すなわち、筐体設置（ＧＮＤ設置）は行っているものの、基板サイズの割に、他の基板へのビス留め個所が少ないこと、および基板長が長く、比較的低周波域での放射ノイズ源として働くことが原因の一つと考えられる。
【０００４】
また、ＣＣＤを駆動する駆動信号は、原稿からの反射光を電気信号に変換する光電変換を行うために大電流の信号が必要であり、更に高速な画像読み取りを実現するために、高周波数の信号の送受信が繰り返し行われていることも原因の一つと考えられる。
【０００５】
このような問題を解決する方法として、例えば画像読取素子と画像読取素子を保持し駆動させるドライバ基板（ＣＣＤ実装基板）とを弾性を持つ導電性部材で設けた被覆手段で覆い、その被覆手段を筐体（底板）に接触させてアースを取る方法が提案されている（例えば、特許文献１参照）。
【０００６】
また、受光センサを基板に実装してユニット構成とした画像読取部と走査光学系を駆動する駆動軸との間に装置枠体と導通を確保するように配置構成された導電性の金属板を立設して、前記読取部を覆うように被着カバー部材と前記金属板とを接合させる方法が提案されている（例えば、特許文献２参照）。
【０００７】
さらに、画像撮像素子の駆動によってプリント配線板上に流れる電流に対して、金属板に逆向きの電流を流すことを可能とし、画像撮像素子の駆動によって発生する放射ノイズを抑制すること可能とする方法も提案されている（例えば、特許文献３参照）。
【特許文献１】特開２０００−１１５４５８号公報
【特許文献２】特開２００２−３６８９５６号公報
【特許文献３】特開２００２−１９９１６１号公報
【発明の開示】
【発明が解決しようとする課題】
【０００８】
しかしながら、これらの従来例に係る方法では以下のような問題点があった。
【０００９】
すなわち、特許文献１の画像読取部を覆う被覆手段を筐体（底板）に接触させてアースを取る方法では、画像読取素子を保持し駆動させるドライバ基板と筐体（底板）との電気的導通がとれ、前記基板の筐体への固定が強化されることにより、基板からの放射ノイズを低減させることはできる。しかしながら、画像読取装置の制御基板とドライバ基板との間を結ぶケーブルの配置ばらつきによる放射ノイズを安定させることはできない。
【００１０】
また、特許文献２の画像読取部を覆うように被着カバー部材と導電性の金属板とを接合させる方法では、ＣＣＤ駆動に起因した放射ノイズを低いレベルに抑制することはできる。しかしながら、やはり基板間を結ぶケーブルの配置ばらつきによる放射ノイズを安定させることはできない。
【００１１】
さらに、特許文献３のプリント配線板上に流れる電流に対して金属板に逆向きの電流を流し、画像撮像素子の駆動によって発生する放射ノイズを抑制する方法でも同様に、基板間を結ぶケーブルの配置ばらつきによる放射ノイズを安定させることはできない。
【００１２】
本発明は、このような問題点に鑑みて為されたものであり、その目的とする処は、放射ノイズを安定させることが可能な画像読取装置およびこれを備えた画像形成装置を提供することにある。
【課題を解決するための手段】
【００１３】
本発明は上述した課題を解決するためになされたものであり、以下の構成を備える。
【００１４】
（１）原稿からの反射光を結像する結像手段と、前記結像手段の結像した画像を読み取る画像読取手段と、前記結像手段および前記画像読取手段を保持する支持部材と、装置全体を制御する制御手段と、前記画像読取手段と前記制御手段との間を接続する伝送手段と、前記伝送手段を規制する規制手段を備えたことを特徴とする画像読取装置。
【００１５】
（２）前記（１）に記載の画像読取装置と、記録媒体に画像を形成する画像形成手段とを備えたことを特徴とする画像形成装置。
【発明の効果】
【００１６】
本発明によれば、画像読取手段と制御手段との間を接続する伝送手段を有するとともに、伝送手段を規制する規制手段を備えたことで、放射ノイズを安定させることが可能な画像読取装置およびこれを備えた画像形成装置を提供することができる。
【発明を実施するための最良の形態】
【００１７】
以下本発明の実施例について、図面を参照しながら説明する。
【００１８】
ただし、この実施例に記載されている構成部品の寸法、材質、形状、その相対配置等は、特に特定的な記載がない限りは、この発明の範囲をそれらのみに限定する趣旨のものではない。
【実施例１】
【００１９】
図１、図２および図３を用いて本実施例に係る画像読取装置について説明する。図１、図２、図３は、それぞれ本実施例に係る画像読取装置の側面断面図、平面断面図および斜視図である。
【００２０】
図１、図２および図３において、１０１は結像された光を光電変換する画像読取手段としてのＣＣＤであり、ＣＣＤ基板１０２に実装される。１０３は伝送手段としてのフラットケーブルであり、制御手段としての不図示の画像読取装置制御基板とＣＣＤ基板１０２の間の入出力信号を伝送する。１０４は原稿からの反射光を結像する結像手段としてのレンズユニットであり、複数枚のレンズとそれを保持する鏡筒とからなる。１０５はレンズユニット１０４およびＣＣＤ基板１０２を保持する支持部材としてのベースフレームである。ベースフレーム１０５は、レンズユニット１０４を光軸方向に移動可能に、かつ光軸と垂直方向には移動しないように保持する案内部を有する。また、不図示の板バネにより後述する底板１０８に固定される。さらに例えば高さ調節ビスにより、３点で固定される（３点高さ調整）。
【００２１】
１０６および１０７は調整板金である。調整板金１０６はＣＣＤ基板１０２に固定され、調整板金１０７は調整板金１０６に固定される。調整板金１０６は、ＣＣＤ１０１およびレンズユニット１０４の位置関係を所定の光学性能を満足するように調整した後、ベースフレーム１０５に半田付け等により固定される。レンズユニット１０４と、ＣＣＤ１０１を実装するＣＣＤ基板１０２とは一つのユニット化された画像読取部を構成する。１０８は画像読取装置の筐体（底板）である。画像読取部は底板１０８上で、ベースフレーム１０５の３点高さ調整を施した面にセットされる。
【００２２】
１１０はフラットケーブル１０３を規制する導電性の規制手段としての規制部材であり、ベースフレーム１０５および底板１０８に固定される。規制部材１１０のベースフレーム１０５および底板１０８への固定は、それぞれ２箇所と３箇所であるが、特にこれに限定されないことは言うまでもない。フラットケーブル１０３は、規制部材１１０に例えば粘着テープ等で固定され、規制される。
【００２３】
フラットケーブル１０３が貼り付けられた規制部材１１０は、ベースフレーム１０５側にビス留め等により固定される。規制部材１１０の端部は底板１０８へビス留め等により固定される。
【００２４】
以上のように、不図示の板バネと３点高さ調整を施した面を介して、ベースフレーム１０５が底板１０８に接続される。そして、底板１０８およびベースフレーム１０５へ固定した導電性の規制部材１１０にフラットケーブル１０３を固定することで、ＣＣＤ１０１を駆動する大電流の信号や高速な画像信号が伝送されるフラットケーブル１０３からの放射ノイズを低減させることができる。
【００２５】
さらに、筐体底板１０８への固定は、画像読取部を底板１０８の所定位置にセットした後に行うことが可能であるため、画像読取装置の組み立て性を損なうこともない。
【実施例２】
【００２６】
図４および図５を用いて本実施例に係る画像読取装置について説明する。実施例１に係る画像読取装置と同一の構成については同一の符号を付す。また、本実施例については、実施例１と異なる点についてのみ説明する。
【００２７】
図４、図５は、それぞれ本実施例に係る画像読取装置の側面断面図、平面断面図である。
【００２８】
４１０はフラットケーブル１０３を規制する導電性の規制部材であり、ベースフレーム１０５に固定される。実施例１とは異なり、規制部材４１０は底板１０８には接触・固定されない。規制部材４１０のベースフレーム１０５への固定は４箇所であるが、特にこれに限定されないことは言うまでもない。フラットケーブル１０３は、規制部材４１０に例えば粘着テープ等で固定され、規制される。
【００２９】
フラットケーブル１０３が貼り付けられた規制部材４１０は、ベースフレーム１０５にビス留め等により固定される。実施例１と異なり、規制部材４１０の端部は底板１０８へ接触・固定されない。
【００３０】
以上のように、不図示の板バネと３点高さ調整を施した面を介して、ベースフレーム１０５が底板１０８に接続される。そして、ベースフレーム１０５へ固定した導電性の規制部材４１０にフラットケーブル１０３を固定することで、ＣＣＤ１０１を駆動する大電流の信号や高速な画像信号が伝送されるフラットケーブル１０３からの放射ノイズを低減させることができる。
【実施例３】
【００３１】
図６および図７を用いて本実施例に係る画像読取装置について説明する。実施例１および実施例２に係る画像読取装置と同一の構成については同一の符号を付す。また、本実施例については、実施例１および実施例２と異なる点についてのみ説明する。
【００３２】
図６、図７は、それぞれ本実施例に係る画像読取装置の側面断面図、斜視図である。
【００３３】
６１０は、フラットケーブル１０３を規制する導電性でかつ弾性を持つ規制部材であり、ベースフレーム１０５に固定される。また、規制部材６１０は底板１０８に接触する。実施例１および２とは異なり、規制部材６１０は底板１０８に接触するが、固定はされない。規制部材６１０のベースフレーム１０５への固定は４箇所であるが、特にこれに限定されないことは言うまでもない。フラットケーブル１０３は、規制部材６１０に例えば粘着テープ等で固定され、規制される。
【００３４】
フラットケーブル１０３が貼り付けられた規制部材６１０は、ベースフレーム１０５にビス留め等により固定される。規制部材６１０の端部は、底板１０８へ接触し導通をとる。
【００３５】
以上のように、不図示の板バネと３点高さ調整を施した面を介して、ベースフレーム１０５が底板１０８に接続される。そして、底板１０８に接触し、ベースフレーム１０５へ固定した導電性の規制部材６１０にフラットケーブル１０３を固定することで、ＣＣＤ１０１を駆動する大電流の信号や高速な画像信号が伝送されるフラットケーブル１０３からの放射ノイズを低減させることができる。
【００３６】
以上説明したように、実施例１ないし３に係る画像読取装置によれば、フラットケーブルがフリーになる部分を規制部材に固定する構成とすることで、画像読取装置からの放射ノイズを安定させることができる。
【図面の簡単な説明】
【００３７】
【図１】実施例１に係る画像読取装置の側面断面図
【図２】画像読取装置の平面断面図
【図３】画像読取装置のＣＣＤ基板と規制部材との関係を示す斜視図
【図４】実施例２に係る画像読取装置の側面断面図
【図５】画像読取装置の平面断面図
【図６】実施例３に係る画像読取装置の側面断面図
【図７】画像読取装置のＣＣＤ基板と規制部材との関係を示す斜視図
【符号の説明】
【００３８】
１０１  ＣＣＤ（画像読取手段に対応）
１０２  ＣＣＤ基板
１０３  フラットケーブル（伝送手段に対応）
１０４  レンズユニット（結像手段に対応）
１０５  ベースフレーム（支持部材に対応）
１０８  底板
１１０、４１０、６１０  規制部材（規制手段に対応）
【図１】
2007019603.tif 000003
【図２】
2007019603.tif 000004
【図３】
2007019603.tif 000005
【図４】
2007019603.tif 000006
【図５】
2007019603.tif 000007
【図６】
2007019603.tif 000008
【図７】
2007019603.tif 000009